(57)【要約】【課題】自装置の電子取扱説明書を自装置の状態に合わせて従来よりも洗練された形で提示可能な表示制御装置を実現する。【解決手段】表示装置１００は、電子取扱説明書に用いる取説用画像を作成するＵＩ画像作成部２１を備える。この取説用画像は、ＵＩ画面の表示時にＵＩ画面内の特定領域を占める画像と同じ内容の画像であり、ＵＩ画像作成部２１は、取説作成用テキストデータを参照して特定領域を特定する。表示装置１００は、この取説用画像を含む電子取扱説明書を表示する。【選択図】図１
2013120455.tif 000002
【特許請求の範囲】
【請求項１】
表示部に表示可能なＵＩ画面に関する説明文を含む文書データを保持する記憶部と、
上記ＵＩ画面を表すＵＩ画像を生成する画像生成手段と、
電子取扱説明書に使用すべき取説用画像を上記ＵＩ画像中から抽出する抽出手段と、
上記電子取扱説明書として、上記文書データに含まれる上記説明文と上記取説用画像とを含む電子取扱説明書を作成する作成手段と、
作成された上記電子取扱説明書を上記表示部に表示する表示制御手段と、を備え、
上記文書データには上記取説用画像が上記ＵＩ画像内に占める領域を特定するための領域特定用情報が含まれており、
上記抽出手段は、上記領域特定用情報を参照することで上記ＵＩ画像中から上記取説用画像を抽出する、ことを特徴とする表示制御装置。
【請求項２】
上記抽出手段は、上記電子取扱説明書を表示する旨の指示をユーザから受け付けたことをトリガとして、上記取説用画像を抽出するように構成されている、ことを特徴とする請求項１に記載の表示制御装置。
【請求項３】
上記領域特定用情報は、特定すべき上記領域の左上座標、幅および高さの各値から構成されている、ことを特徴とする請求項１または２に記載の表示制御装置。
【請求項４】
上記表示制御装置は、機能が相異なる複数のＵＩ画面を表示可能に構成されており、
上記文書データには、領域特定用情報とＵＩ画面毎に一意な識別子との対が１対以上含まれており、
上記抽出手段は、上記文書データに含まれる各対の識別子と領域特定用情報とについて、当該領域特定用情報と当該識別子とを参照することで当該識別子によって特定されるＵＩ画面を表すＵＩ画像中から上記取説用画像を抽出することを特徴とする請求項１から３のいずれか１項に記載の表示制御装置。
【請求項５】
上記表示制御装置が表示可能なＵＩ画面には、機能が相異なる複数のＵＩコンポーネントが含まれており、
上記文書データには、ＵＩコンポーネント毎に一意な識別子が１つ以上含まれており、
上記複数のＵＩコンポーネントの各々について、上記ＵＩ画面の表示時に当該ＵＩコンポーネントが表示される領域を示す領域情報と、当該ＵＩコンポーネントの識別子と、を関連付けて記憶部に記録する記録手段をさらに備え、
上記抽出手段は、上記文書データに含まれる各識別子について、上記ＵＩ画面を表すＵＩ画像中から、上記記憶部に当該識別子と関連付けて記録された領域情報が示す領域の画像を上記取説用画像として抽出する、ことを特徴とする、請求項１または２に記載の表示制御装置。
【請求項６】
請求項１から５のいずれか１項に記載の表示制御装置の各手段を備えていることを特徴とするテレビジョン受像機。
【請求項７】
表示部に表示可能なＵＩ画面に関する説明文を含む文書データを保持する記憶部を備えた表示制御装置が自装置の電子取扱説明書を表示する表示方法であって、
上記ＵＩ画面を表すＵＩ画像を生成する画像生成工程と
上記電子取扱説明書に使用すべき取説用画像を上記ＵＩ画像中から抽出する抽出工程と、
上記電子取扱説明書として、上記文書データに含まれる上記説明文と上記取説用画像とを含む電子取扱説明書を作成する作成工程と、
作成された上記電子取扱説明書を上記表示部に表示する表示制御工程と、を含み、
上記文書データには上記取説用画像が上記ＵＩ画像内に占める領域を特定するための領域特定用情報が含まれており、
上記抽出工程は、上記領域特定用情報を参照することで上記ＵＩ画像中から上記取説用画像を抽出する工程である、ことを特徴とする表示方法。
【請求項８】
請求項１から５のいずれか１項に記載の表示制御装置の各手段としてコンピュータを機能させることを特徴とする表示制御プログラム。
【請求項９】
請求項８に記載の表示制御プログラムを記録したコンピュータ読み取り可能な記録媒体。
【発明の詳細な説明】
【技術分野】
【０００１】
本発明は、電子取扱説明書の表示方法に関する。また、本発明は、そのような表示方法を用いて電子取扱説明書を表示する機能を備えた表示制御装置に関する。さらに、本発明は、そのような表示制御装置としてコンピュータを機能させるためのプログラム、および、そのようなプログラムが記録されているコンピュータ読み取り可能な記録媒体に関する。
【背景技術】
【０００２】
従来、製品のマニュアルは紙マニュアルとして提供されるのが常であったが、最近では、電子マニュアルとして提供されるケースが増えてきている。これには、メーカーのホームページから電子マニュアルをダウンロード可能なインターネット環境の整備、製品の多機能化で肥大化した取扱説明書を紙で作成するのは自然環境に好ましくないという環境保護意識の高まり等、様々な理由が挙げられる。
【０００３】
ディスプレイに映像を表示する機能を有する情報機器（例えばスマートフォンやパーソナルコンピュータ等）の中には、電子マニュアルがプリインストールされているものも存在する。
【０００４】
情報機器のマニュアルにおいては、一般的に、情報機器の各種画面（例えば、設定画面や操作画面等）で使用可能な機能が、キャプチャ画像を交えて説明されている。情報機器にプリインストールされている電子マニュアルのキャプチャ画像は、当然ながら、その情報機器に組み込まれているファームウェアのバージョンに則したキャプチャ画像になっているべきである。
【０００５】
しかしながら、電子マニュアル中のキャプチャ画像が、情報機器に組み込まれているファームウェアのバージョンよりも古いバージョンに則したキャプチャ画像となっているケースがしばしば見受けられる。その理由は、メーカーが、開発中の情報機器のバージョンを短いスパンで繰り返し更新したために、情報機器本体の開発と並行して作成された電子マニュアルが最新状態に更新されずに情報機器が出荷されてしまったためと考えられる。
【０００６】
このような実情に鑑みて、アプリケーションの操作中に発生したイベントをトリガとしてアプリケーションの表示画面イメージをキャプチャし、表示画面イメージを用いて操作マニュアルを自動作成する技術が特許文献１および特許文献２に開示されている。この技術を用いれば、アプリケーションの操作と並行して操作マニュアルが自動作成される。さらに、操作マニュアル中に含まれる各キャプチャ画像は、操作するアプリケーションのバージョンに則したキャプチャ画像となる。
【０００７】
ところで、一般的に、マニュアル作成者が、ＵＩ画面中の特定部分についてクローズアップした説明をマニュアルに含めようとする場合、説明をわかりやすくするために説明文と併せてその特定部分を拡大した画像をマニュアルに含めようと考えることが想定される。実際、手作業で作成されるマニュアルの多くには、ＵＩ画面のキャプチャ画像内の一部分が切り出された画像がある程度含まれている。
【先行技術文献】
【特許文献】
【０００８】
【特許文献１】特開平１０−１０５４４４号公報（１９９８年４月２４日公開）
【特許文献２】特開２００７−０１１５３２号公報（２００７年１月１８日公開）
【発明の概要】
【発明が解決しようとする課題】
【０００９】
しかしながら、上記従来の構成では、自動作成される操作マニュアルに組み込まれることになる各画像は、すべて、表示画面全体をキャプチャ対象とするキャプチャ画像となるため、前述の手作業で作成されるようなわかりやすいマニュアルを自動作成することができない。そのため、上記従来の構成は、製品開発者向けの手順書の自動作成には向いているものの、コンシューマ製品の取扱説明書を自動作成するにはあまり適さないと言える。
【００１０】
本発明は、上記課題に鑑みて成されたものであり、その主な目的は、自装置の電子取扱説明書を自装置の状態に合わせて従来よりも洗練された形で提示可能な表示制御装置を実現することにある。
【課題を解決するための手段】
【００１１】
本発明に係る表示制御装置は、上記課題を解決するために、表示部に表示可能なＵＩ画面に関する説明文を含む文書データを保持する記憶部と、上記ＵＩ画面を表すＵＩ画像を生成する画像生成手段と、電子取扱説明書に使用すべき取説用画像を上記ＵＩ画像中から抽出する抽出手段と、上記電子取扱説明書として上記文書データに含まれる上記説明文と上記取説用画像とを含む電子取扱説明書を作成する作成手段と、作成された上記電子取扱説明書を上記表示部に表示する表示制御手段と、を備え、上記文書データには上記取説用画像が上記ＵＩ画像内に占める領域を特定するための領域特定用情報が含まれており、上記抽出手段は、上記領域特定用情報を参照することで上記ＵＩ画像中から上記取説用画像を抽出する、ことを特徴としている。
【００１２】
上記の構成によれば、本発明に係る表示制御装置は、電子取扱説明書の表示時に、ＵＩ画面に関する説明文を表示するとともにＵＩ画面の表示時にＵＩ画面中の特定領域を占める画像を取説用画像として表示することができる。
【００１３】
また、本発明に係る表示制御装置が生成する取説用画像は、表示制御装置が表示可能なＵＩ画面内の特定領域を占める画像と同じ内容の取説用画像である。そのため、例えば表示制御装置のファームウェアの更新等によりＵＩ画面に変更があった場合、電子取扱説明書に含まれる取説用画像にはその変更が反映されることになる。
【００１４】
したがって、本発明に係る表示制御装置は、自装置の電子取扱説明書を自装置の状態に合わせて従来よりも洗練された形で提示することができるという効果を奏する。
【００１５】
なお、本発明に係る表示制御装置では、上記領域特定用情報が、特定すべき上記領域の左上座標、幅および高さの各値から構成されていてもよい。
【００１６】
本発明に係る表示方法は、上記課題を解決するために、表示部に表示可能なＵＩ画面に関する説明文を含む文書データを保持する記憶部を備えた表示制御装置が自装置の電子取扱説明書を表示する表示方法であって、上記ＵＩ画面を表すＵＩ画像を生成する画像生成工程と、上記電子取扱説明書に使用すべき取説用画像を上記ＵＩ画像中から抽出する抽出工程と、上記電子取扱説明書として上記文書データに含まれる上記説明文と上記取説用画像とを含む電子取扱説明書を作成する作成工程と、作成された上記電子取扱説明書を上記表示部に表示する表示制御工程と、を含み、上記文書データには上記取説用画像が上記ＵＩ画像内に占める領域を特定するための領域特定用情報が含まれており、上記抽出工程が、上記領域特定用情報を参照することで上記ＵＩ画像中から上記取説用画像を抽出する工程である、ことを特徴としている。
【００１７】
上記の構成によれば、本発明に係る表示方法は、本発明に係る表示制御装置と同様の作用効果を奏する。
【００１８】
本発明に係る表示制御装置は、上記抽出手段が、上記電子取扱説明書を表示する旨の指示をユーザから受け付けたことをトリガとして、上記取説用画像を抽出するように構成されていることが望ましい。
【００１９】
上記の構成によれば、本発明に係る表示制御装置は、常に取説用画像が最新の状態に更新された電子取扱説明書をユーザに提示することができるというさらなる効果を奏する。
【００２０】
また、本発明に係る表示制御装置は、機能が相異なる複数のＵＩ画面を表示可能に構成されており、上記文書データには、領域特定用情報とＵＩ画面毎に一意な識別子との対が１対以上含まれており、上記抽出手段が、上記文書データに含まれる各対の識別子と領域特定用情報とについて、当該領域特定用情報と当該識別子とを参照することで当該識別子によって特定されるＵＩ画面を表すＵＩ画像中から上記取説用画像を抽出することが望ましい。
【００２１】
上記の構成によれば、本発明に係る表示制御装置は、機能が相異なる複数のＵＩ画面に関する取説用画像を、表示する電子取扱説明書に含めることができるというさらなる効果を奏する。
【００２２】
また、本発明に係る表示制御装置は、上記表示制御装置が表示可能なＵＩ画面には、機能が相異なる複数のＵＩコンポーネントが含まれており、上記文書データには、ＵＩコンポーネント毎に一意な識別子が１つ以上含まれており、上記複数のＵＩコンポーネントの各々について、上記ＵＩ画面の表示時に当該ＵＩコンポーネントが表示される領域を示す領域情報と、当該ＵＩコンポーネントの識別子と、を関連付けて記憶部に記録する記録手段をさらに備え、上記抽出手段が、上記文書データに含まれる各識別子について、上記ＵＩ画面を表すＵＩ画像中から、上記記憶部に当該識別子と関連付けて記録された領域情報が示す領域の画像を上記取説用画像として抽出する、ことが望ましい。
【００２３】
なお、本発明に係る表示制御装置はテレビジョン受像機としても実現できる。また、本発明に係る表示制御装置としてコンピュータを動作させるプログラムであって、コンピュータを上記表示制御装置の各手段として機能させることを特徴とするプログラム、および、そのようなプログラムを記録した、コンピュータが読み取り可能な記録媒体も本発明の範疇に含まれる。
【発明の効果】
【００２４】
以上のように、本発明に係る表示制御装置は、自装置の電子取扱説明書を自装置の状態に合わせて従来よりも洗練された形で提示できるという効果を奏する。
【図面の簡単な説明】
【００２５】
【図１】本発明の一実施形態に係る表示装置の要部構成を示すブロック図である。
【図２】図１の表示装置が電子取扱説明書を作成するために参照する情報と作成される上記電子取扱説明書とを例示した図である。
【図３】図１の表示装置および図５の表示装置が電子取扱説明書を表示する動作を示すフローチャートを示す図である。
【図４】図３のフローチャートにおける一工程を詳細に表すフローチャートを示す図である。図４のフローチャートは、図１の表示装置の動作を示している。
【図５】本発明の別の一実施形態に係る表示装置の要部構成を示すブロック図である。
【図６】図５の表示装置が電子取扱説明書を作成するために参照する情報と作成される上記電子取扱説明書とを例示した図である。
【図７】図５の表示装置がＵＩ画面を表示するために参照するプログラムコードと、上記ＵＩ画面と、図５の表示装置が上記プログラムコードを参照することで作成する２つのテーブルとを例示した図である。
【図８】図３のフローチャートにおける一工程を詳細に表すフローチャートを示す図である。図８のフローチャートは、図５の表示装置の動作を示している。
【発明を実施するための形態】
【００２６】
〔実施形態１〕
本発明に係る表示制御装置の一実施形態に係る表示装置について図面を参照しながら以下に説明する。
【００２７】
図１は、本実施形態に係る表示装置の要部構成を概略的に示したブロック図である。
【００２８】
図１に示すように、本実施形態に係る表示装置１００は、記憶部１０、画面表示制御部２０、取説作成制御部３０、および表示部４０を備えている。
【００２９】
（記憶部１０）
記憶部１０は、表示装置１００の本体の電源を切っても記憶状態を保持可能なデバイスであり、不揮発性メモリやＳＤＤ、ＨＤＤ等といった記録媒体を記憶部１００として採用可能である。
【００３０】
記憶部１０は、表示装置１００の電子取扱説明書を作成するための各種データを表示装置１００の製品出荷時から保持している。記憶部１０は、具体的には、電子取扱説明書に用いる各種取説用画像（取扱説明書に用いる全取説用画像の一部）と、電子取扱説明書を表示するために参照される取説作成用テキストデータと、を含んでいる。
【００３１】
この取説作成用テキストデータ（文書データ）は、本実施形態においては、電子取扱説明書の表示時に表示部４０に説明文として表示される表示文字列と、その他のメタ文字列と、から構成される。本実施形態で使用される取説作成用テキストデータは、より具体的には、電子取扱説明書の各ページについて、当該ページの表示時に表示部４０に説明文として表示される表示文字列と説明文として表示されないメタ文字列と、を含んでいる。
【００３２】
（画像表示制御部２０）
画像表示制御部２０は、ユーザから操作部（図示せず）を介した操作指示を受け付けると、操作指示に応じたＵＩ画面を表示部４０に表示するための表示制御を行う。
【００３３】
また、画像表示制御部２０は、ＵＩ画像作成部２１を備えており、ＵＩ画像作成部２１が、ＵＩ画面を表すＵＩ画像を作成する。さらに、ＵＩ画像作成部２１は、電子取扱説明書を表示するための表示制御の一工程として電子取扱説明書の表示すべきページ（以下、「該当ページ」とも称する）に用いる各取説用画像を、対応するＵＩ画像中から切り出す。具体的には、ＵＩ画像作成部２１は、取説用画像取得部３１から受け付けた画面ＩＤに対応するＵＩ画面を表すＵＩ画像中から、同じく取説用画像取得部３１から受け付けたエリア情報によって指定される領域の画像を取説用画像として切り出す。画面ＩＤは、機能が相異なるＵＩ画面毎に一意な値である。
【００３４】
（取説作成制御部３０）
取説作成制御部３０は、電子取扱説明書の該当ページの表示用データを作成するための各種制御を行う。取説作成制御部３０は、取説用画像取得部３１および取扱説明書作成部３２を備えている。
【００３５】
取説用画像取得部３１は、該当ページに用いる１以上の取説用画像（記憶部１０に記録されていない取説用画像）をＵＩ画像作成部２１から取得する。
【００３６】
取説用画像取得部３１は、切出領域指定部３１１を備えている。前述のメタ文字列には、前述の画面ＩＤとエリア情報とを１組のデータとする１以上の組のデータが含まれているのであるが、切出領域指定部３１１は、ＵＩ画像作成部２１に取説用画像を切り出させるために、各組のデータをメタ文字列中から特定して、ＵＩ画像作成部２１に供給する。
【００３７】
取扱説明書作成部３２は、記憶部１０に記録されている取説作成用テキストデータと取説用画像取得部３１が取得した各取説用画像と記憶部１０に記憶されている取説用画像とを用いて該当ページの表示用データを作成する。
【００３８】
（表示部４０）
表示部４０は、各種ＵＩ画像や電子取扱説明書等が表示される表示画面である。
【００３９】
（取説作成用テキストデータについて）
図２を参照して前述の取説作成用テキストデータの構造について具体的に説明する。図２（ａ）は、取説作成用テキストデータの一具体例について、電子取扱説明書の特定のページに対応する表示文字列およびメタ文字列を抜き出して示している。
【００４０】
なお、図示はしていないが、取説作成用テキストデータには、メタ文字列としてページとページとの境を示すデリミタが含まれている。表示装置１００は、このデリミタを参照することで、取説作成用テキストデータの中から電子取扱説明書の任意のページに対応する箇所を特定できる。
【００４１】
図２（ａ）に示すように、取説作成用テキストデータは、ページ毎に、ページの前半部分（当該ページの開始を表すデリミタから＜img＞タグが現れるまでの箇所）に表示文字列が記述され、ページの後半部分（<img>タグから次のページの開始を表すデリミタまでの箇所）にメタ文字列が記述される。上記表示文字列は対応するページの表示時に表示される文字列であり、上記メタ文字列は対応するページの表示時に表示される取説用画像に関するメタ文字列である。ただし、取説用画像が表示されないページについては、取説作成用テキストデータ中の対応するページにもメタ文字列は記述されない。
【００４２】
各ページのメタ文字列は、１つ以上のｉｍｇ要素を含んでおり、ｉｍｇ要素の内容として画面ＩＤ（図２（ａ）中のＳｃｒＩＤ）とエリア情報とを含んでいる。エリア情報は、ＵＩ画像中から切り出される領域の左上端の横座標（図２（ａ）中のＸ）および縦座標（図２（ａ）中のＹ）と当該領域の幅（図２（ａ）中のＷ）および高さ（図２（ａ）中のＨ）とから構成される。
【００４３】
（表示装置１００の動作について）
次に、電子取扱説明書を表示する旨の指示をユーザから受け付けてから、電子取扱説明書の該当ページを表示するまでの表示装置１００の動作について図２〜図４を参照しながら以下に説明する。ここでの該当ページは、例えば、電子取扱説明書の第１ページ目であってもよいし、前回電子取扱説明書を表示した際に最後に表示したページであってもよい。
【００４４】
図２（ｂ）は、図２（ａ）のメタ文字列の記述に基づいて取説用画像の切り出し対象となる画面ＩＤ５のＵＩ画像を示している。図２（ｃ）は、図２（ａ）の取説作成用テキストデータの記述に基づいて表示部４０に表示される、電子取扱説明書中の該当ページを示している。
【００４５】
また、図３は、表示装置１００の上記動作を示すフローチャートである。
【００４６】
最初に、表示装置１００が電子取扱説明書を表示すべき旨の指示を受け付けると（Ｓ１）、Ｓ２の処理に進む。
【００４７】
Ｓ２において、取扱説明書作成部３２は、取説作成用テキストデータの中から該当ページのテキストデータ（具体的には、該当ページに対応する表示文字列およびメタ文字列）を抽出し、Ｓ３の処理に進む。
【００４８】
Ｓ３において、取扱説明書作成部３２は、抽出した該当ページの中にｉｍｇ要素が含まれているか否かを判定する。ｉｍg要素が含まれていると判定された場合（Ｓ３においてＮＯ）、Ｓ１０の処理に進む。
【００４９】
一方、ｉｍｇ要素が含まれていると判定された場合（Ｓ３においてＹＥＳ）、Ｓ４の処理に進む。
【００５０】
Ｓ４において、取扱説明書作成部３２は、抽出した該当ページに含まれている上からｉ番目（ｉ：初期値１）のｉｍｇ要素の属性ＣＲＥＡＴＥの属性値が“ＹＥＳ”であるか否かを判定する。属性値が“ＹＥＳ”でないと判定された場合（Ｓ４においてＮＯ）、取扱説明書作成部３２は、該当ページに埋め込むべき各取説用画像を記憶部１０から取得し（Ｓ５）、Ｓ８の処理に進む。
【００５１】
一方、属性値が“ＹＥＳ”であると判定された場合（Ｓ４においてＹＥＳ）、Ｓ６の処理に進む。
【００５２】
Ｓ６において、取扱説明書作成部３２は、該当ページに埋め込むべき取説用画像の作成を画像情報取得部３１に要求する。具体的には、取扱説明書作成部３２は、上からｉ番目ｉｍｇ要素のデータを画像情報取得部３１の切出領域指定部３１１に供給することにより、取説用画像の作成を要求する。
【００５３】
Ｓ６の処理後、Ｓ７において、表示装置１００は、該当ページに埋め込むべき取説用画像を自動作成する。このＳ７の処理について図４を参照しながら詳細に説明する。
【００５４】
図４は、該当ページに埋め込むべき取説用画像を自動作成する動作を示すフローチャート図である。
【００５５】
Ｓ２１において、切出領域指定部３１１は、取扱説明書作成部３２から供給されたｉｍｇ要素のデータから、取説用画像を切り出すべきＵＩ画像の画面ＩＤと、ＵＩ画像中の切り出すべき領域を示すエリア情報と、を特定する。図２の例に則して言えば、切出領域指定部３１１は、図２（ａ）のｉｍｇ要素のデータから、画面ＩＤの値「５」と、左上端座標が（８００、２００）であり右下端座標が（８００＋４００、２００＋８００）であるような矩形領域を表すエリア情報と、を特定する。
【００５６】
そして、切出領域指定部３１１は、画面ＩＤとエリア情報とを画像表示制御部２０のＵＩ画像作成部２１に供給する。
【００５７】
Ｓ２１の処理の後、ＵＩ画像作成部２１は、画面ＩＤで指定されるＵＩ画面を表すＵＩ画像を作成し（Ｓ２２）、当該ＵＩ画像からエリア情報で指定される矩形領域の画像を取説用画像として切り出す（Ｓ２３）。図２の例に則して言えば、ＵＩ画像作成部２１は、図２（ｂ）に示されるようなＵＩ画像を作成し、ＵＩ画像中の前述の矩形領域の画像を取説用画像として切り出す。
【００５８】
そして、画像情報取得部３１は、切り出された取説用画像をＵＩ画像作成部２１から取得し、取扱説明書作成部３２に供給する（Ｓ２４）。
【００５９】
表示装置１００は、Ｓ７（すなわち、Ｓ２１〜Ｓ２４）の処理の後、Ｓ８の処理に進む。Ｓ８において、取扱説明書作成部３２は、該当ページのテキストデータ（ｉが２以上の場合には中間データ）中の上からｉ番目のｉｍｇ要素を、直前のＳ７にて取得した取説用画像のバイナリデータで置き換えることにより、中間データを生成（ｉが２以上の場合には「更新」）する。
【００６０】
Ｓ８の処理の後、取扱説明書作成部３２は、該当ページのテキストデータ中のｉｍｇ要素をすべて取説用画像に置き換えたか否かを判定する（Ｓ９）。また、１以上のｉｍｇ要素が取説用画像に置き換えられていないと判定された場合（Ｓ９においてＮＯ）、表示装置１００は、該当ページのテキストデータ中の上からｉ＋１番目の要素（すなわち、中間データ中の先頭のｉｍｇ要素）についてＳ４の処理を実行し、次いで、後続のＳ５〜Ｓ９の処理を実行する。
【００６１】
一方、すべてのｉｍｇ要素が取説用画像に置き換えられたと判定された場合（Ｓ９においてＮＯ）、Ｓ１０にて、取扱説明書作成部３２は、該当ページの中間データを最終的な表示用データとして確定し、該当ページの表示用データを画面表示制御部２０に供給する。
【００６２】
そして、Ｓ１０にて、画面表示制御部２０は、表示用データが表す該当ページを表示部４０に表示する。具体的には、画面表示制御部２０は、表示部４０の上半分の領域に文字列（具体的には、ＵＩ画面に関する説明文）を表示し、下半分の領域に各取説用画像を表示する。図２の例に則して言えば、表示部４０の上半分の領域に「Ｏｐｔｉｏｎの表示方法・・」という、画面ＩＤ５のＵＩ画面に関する説明文を表示し、下半分の領域に前述の矩形領域の画像（「Ｓｅｔｕｐ」「Ｏｐｔｉｏｎ」・・といった文字を含む画像）を表示することになる。
【００６３】
以上、電子取扱説明書を表示する旨の指示をユーザから受け付けてから、電子取扱説明書の該当ページを表示するまでの表示装置１００の動作について説明した。表示装置１００は、表示中の電子取扱説明書について新たなページを表示する旨の指示をユーザから受け付けた場合にも同様の動作（具体的には、図３のＳ２以降の処理）を行う。
【００６４】
（実施形態２）
本発明の別の一実施形態に係る表示装置について図面を参照しながら以下に説明する。
【００６５】
図５は、本実施形態に係る表示装置の要部構成を概略的に示したブロック図である。
【００６６】
図５に示すように、本実施形態に係る表示装置１００’は、記憶部１０’、画面表示制御部２０’、取説作成制御部３０’、および表示部４０を備えている。表示装置１００’が備える表示部４０は表示装置１００が備える表示部４０と同一である。
【００６７】
（記憶部１０’）
記憶部１０’は、実施形態１における記憶部１０と同様のデバイスである。
【００６８】
記憶部１０’は、表示装置１００’の電子取扱説明書を作成するための各種データを表示装置１００’の製品出荷時から保持している。記憶部１０’は、具体的には、電子取扱説明書に用いる各種取説用画像（電子取扱説明書に用いる全取説用画像の一部）と、電子取扱説明書を表示するために参照される取説作成用テキストデータと、を含んでいる。後述するように、取説作成用テキストデータのフォーマットは、実施形態１で使用される取説作成用テキストデータのフォーマットとは一部異なっている。
【００６９】
さらに、記憶部１０’は、画面表示制御部２０’が各種ＵＩ画像を作成するために参照するプログラムコードを保持している。
【００７０】
（画像表示制御部２０’）
画像表示制御部２０’は、ユーザから操作部（図示せず）を介した操作指示を受け付けると、操作指示に応じたＵＩ画像を表示部４０に表示するための表示制御を行う。
【００７１】
また、画像表示制御部２０’は、ＵＩ画像作成部２１’を備えており、ＵＩ画像作成部２１’が、各種ＵＩ画面を作成する。
【００７２】
さらに、ＵＩ画像作成部２１’は、電子取扱説明書を表示するための表示制御の一工程として電子取扱説明書の表示すべきページ（以下、「該当ページ」とも称する）に用いる各取説用画像を、対応するＵＩ画像中から切り出す。具体的には、ＵＩ画像作成部２１’は、取説用画像取得部３１’から受け付ける機能ＩＤによって、画像を切り出すべきＵＩ画像中の領域を特定し、特定した領域の画像を取説用画像として切り出す。ここで、機能ＩＤは、表示装置１００’が備える機能毎にユニークな値をもつ識別子である。
【００７３】
（取説作成制御部３０’）
取説作成制御部３０’は、電子取扱説明書の該当ページの表示用データを作成するための各種制御を行う。取説作成制御部３０’は、取説用画像取得部３１’および取扱説明書作成部３２’を備えている。
【００７４】
取説用画像取得部３１’は、該当ページに用いる１以上の取説用画像（記憶部１０に記録されていない取説用画像）をＵＩ画像作成部２１’から取得する。
【００７５】
取説用画像取得部３１’は、切出領域指定部３１１’を備えている。前述のメタ文字列には、前述の機能ＩＤが１つ以上含まれているが、切出領域指定部３１１’は、ＵＩ画像作成部２１’に取説用画像を切り出させるために、各機能ＩＤをメタ文字列中から特定して、ＵＩ画像作成部２１’に供給する。
【００７６】
取扱説明書作成部３２’は、実施形態１の取扱説明書作成部３２と同様の機能を有する。また、取扱説明書作成部３２’は、ＵＩ画像作成部２１’が取説用画像を作成するために参照するＵＩ画面特定用テーブルおよびエリア情報特定用テーブル（それぞれ後述する）を前述のプログラムコードから作成する。
【００７７】
（取説作成用テキストデータについて）
図６を参照して前述の取説作成用テキストデータの構造について具体的に説明する。図６（ａ）は、取説作成用テキストデータの一具体例について、電子取扱説明書の特定のページに対応する表示文字列およびメタ文字列を抜き出して示している。
【００７８】
図６（ａ）に示したように、本実施形態で使用される取説作成用テキストデータは、実施形態１の取説作成用テキストデータと略同一であるが、ｉｍｇ要素の内容が実施形態１と異なっている。
【００７９】
各ページのメタ文字列は、１つ以上のｉｍｇ要素を含んでおり、ｉｍｇ要素の内容として機能ＩＤ（図６（ａ）中のＦｕｎｃＩＤ）を含んでいる。
【００８０】
（プログラムコードについて）
記憶部１０に記録されているプログラムコードについて図７を参照しながら以下に説明する。図７（ａ）は、ＵＩ画像作成部２１’が各種ＵＩ画像を作成するためのプログラムコードを例示した図である。図７(ａ)においては、プログラムコードの一部分のみが明示的に記載され、他の部分は記載が省略されている。
【００８１】
このプログラムコードは、各ＵＩ画像を作成するための関数群で構成された、テキスト形式のＵＩ画面表示用ライブラリである。
【００８２】
図７（ａ）に示したように、本実施形態においては、ＵＩ画像を作成するための関数の名称は「ＳｃｒＤａｔａ」であり、関数ＳｃｒＤａｔａの第１引数は画面ＩＤ（ＳｃｒＩＤ）である。ＵＩ画像作成部２１’は、関数ＳｃｒＤａｔａを実行すると第１引数で指定された画面ＩＤのＵＩ画像を作成することになる。
【００８３】
また、関数ＳｃｒＤａｔａの最終引数にはＮ（Ｎ≧１）個の関数Ｉｔｅｍを記述することができる。関数Ｉｔｅｍは、第１引数の機能ＩＤに対応する機能に関するＵＩコンポーネントの画像を作成中のＵＩ画像上に描画する関数である。ＵＩ画像作成部２１’は、関数ＳｃｒＤａｔａを実行すると、最終引数の各関数Ｉｔｅｍを呼び出して順に実行することになる。
【００８４】
ＵＩ画像作成部２１’は、関数Ｉｔｅｍを実行すると、その第４引数として記述されている幅および高さの有する矩形のＵＩコンポーネントの画像を、その第３引数として記述されている座標がＵＩコンポーネントの左上端となるような位置に描画する。加えて、ＵＩ画像作成部２１は、ＵＩコンポーネントの中央部分に関数Ｉｔｅｍの第２引数として記述されている文字列を描画する。
【００８５】
ＵＩ画像作成部２１’は、関数ＳｃｒＤａｔａの最終引数として記述されているすべての（Ｎ個の）関数Ｉｔｅｍを実行し終えると、関数ＳｃｒＤａｔａの実行によるＵＩ画像の作成を完了する。
【００８６】
（ＵＩ画像特定用テーブルおよびエリア情報特定用テーブルの作成について）
以上のように、記憶部１０に記録されているプログラムコードは、ＵＩ画像を作成するためにＵＩ画像作成部２１’によって参照されるのであるが、取扱説明書作成部３２’は、このプログラムコードを参照することで、前述のＵＩ画面特定用テーブルおよびエリア情報特定用テーブルを作成する。
【００８７】
ＵＩ画面特定用テーブルは、機能ＩＤが与えられたときに、機能ＩＤに対応する機能に関するＵＩコンポーネントを含むＵＩ画面を特定するためのテーブルであり、機能ＩＤおよび画面ＩＤをフィールドとする1以上のレコードから構成される。また、エリア情報特定用テーブルは、機能ＩＤが与えられたときに、機能ＩＤに対応する機能に関するＵＩコンポーネントが上記ＵＩ画面中に占める領域を特定するためのテーブルである。エリア情報特定用テーブルは、機能ＩＤと座標（上記領域の左上座標）とサイズ（上記領域の幅および高さ）とをフィールドとする1以上のレコードから構成される。これらのテーブルの作成について以下に詳細に説明する。
【００８８】
取扱説明書作成部３２’は、所定のタイミングで（例えば、表示装置１００’の起動時に）プログラムコードにアクセスする。そして、取扱説明書作成部３２’は、プログラムコード中に記載されている各関数ＳｃｒＤａｔａについて順に以下の処理を行う。
【００８９】
取扱説明書作成部３２’は、対象となる関数ＳｃｒＤａｔａについて、第１引数の画面ＩＤの値を読み出すとともに、関数ＳｃｒＤａｔａの最終引数として記述されている１以上の関数Ｉｔｅｍについて関数Ｉｔｅｍの第１引数である機能ＩＤの値を読み出す。
【００９０】
そして、取扱説明書作成部３２’は、読み出された各機能ＩＤの値について、当該機能ＩＤの値と上記画面ＩＤの値とを関連付けて記憶部１０に記録する。
【００９１】
また、取扱説明書作成部３２’は、対象となる関数ＳｃｒＤａｔａの最終引数として記述されている１以上の関数Ｉｔｅｍの各々について、当該関数Ｉｔｅｍの第１引数である機能ＩＤの値と第３引数である座標値と第４引数である幅および高さとを関連づけて記憶部１０に記録する。
【００９２】
取扱説明書作成部３２’は、プログラムコード中に記載されている全関数ＳｃｒＤａｔａについて上記処理を行うことでＵＩ画面特定用テーブルおよびエリア情報特定用テーブルを作成し、記憶部１０に記録する。図７の例で言えば、取扱説明書作成部３２’は、図7（ａ）のプログラムコードに記述されている全関数ＳｃｒＤａｔａを対象として上記処理を実行することで、図７（ｃ）に示すＵＩ画面特定用テーブルと図７（ｄ）に示すエリア情報特定用テーブルを作成し、記憶部１０に記録する。
【００９３】
（表示装置１００’の動作について）
次に、電子取扱説明書を表示する旨の指示をユーザから受け付けてから、電子取扱説明書の該当ページを表示するまでの表示装置１００’の動作について図６〜図８を参照しながら以下に説明する。
【００９４】
図６（ｂ）は、図６（ａ）の取説作成用テキストデータの記述に基づいて表示部４０に表示される、電子取扱説明書中の該当ページを示している。
【００９５】
図７（ｂ）は、図６（ａ）のメタ文字列の記述に基づいて取説用画像の切り出し対象となる、画面ＩＤ５のＵＩ画像を示している。
【００９６】
図８は、該当ページに埋め込むべき取説用画像を自動作成する動作を示すフローチャート図である。
【００９７】
表示装置１００’は、実施形態１の表示装置１００と同様に、図３のステップＳ１〜ステップＳ１０の動作を行うことで電子取扱説明書の該当ページを表示するが、ステップＳ７の取説用画像を自動作成する工程における具体的な処理内容が実施形態１と異なっている。そこで、ステップＳ１〜ステップＳ６、ステップＳ８〜Ｓ１０についてはその説明を省略し、ステップＳ７の処理について以下に説明する。
【００９８】
Ｓ４１において、切出領域指定部３１１’は、取扱説明書作成部３２から供給されたｉｍｇ要素のデータから、取説用画像を切り出すべきＵＩ画像の機能ＩＤを特定する。図６の例で言えば、切出領域指定部３１１’は、最初のＳ４１においては図６（ａ）の上から１番目のｉｍｇ要素のデータから機能ＩＤの値「４」を特定し、２度目のＳ４１においては上から２番目のｉｍｇ要素のデータから機能ＩＤの値「５」を特定する。
【００９９】
さらに、切出領域指定部３１１’は、記憶部１０に記録されているＵＩ画面特定用テーブルを参照し、特定した機能ＩＤと関連付けられている画面ＩＤを特定する。
【０１００】
そして、切出領域指定部３１１’は、上記機能ＩＤと上記画面ＩＤとを画像表示制御部２０’のＵＩ画像作成部２１’に供給する。
【０１０１】
Ｓ４１の処理の後、ＵＩ画像作成部２１’は、切出領域指定部３１１’から供給された画面ＩＤから特定されるＵＩ画面を表すＵＩ画像を作成する（Ｓ４２）。
【０１０２】
Ｓ４２の処理を終えると、ＵＩ画像作成部２１’は、記憶部１０に記録されているエリア情報特定用テーブルを参照し、切出領域指定部３１１’から供給を受けた機能ＩＤに関連付けられているエリア情報（矩形領域の左上端の座標、矩形領域の幅および高さ）を特定する。そして、ＵＩ画像作成部２１は、Ｓ４２にて作成したＵＩ画像から、上記エリア情報で指定される矩形領域の画像を取説用画像として切り出す（Ｓ４３）。
【０１０３】
図７の例で言えば、ＵＩ画像作成部２１’は、最初のＳ４３においては図７（ｂ）に示されるようなＵＩ画像から左上端座標が（１３００、２００）であり右下端座標が（１３００＋４００、２００＋２００）であるような矩形領域の画像を切り出す。そして、ＵＩ画像作成部２１’は、２度目のＳ４３においては図７（ｂ）に示されるようなＵＩ画像から左上端座標が（１３２０、４００）であり右下端座標が（１３２０＋３８０、４００＋２００）であるような矩形領域の画像を切り出す。
【０１０４】
そして、画像情報取得部３１’は、切り出された取説用画像をＵＩ画像作成部２１’から取得し、取扱説明書作成部３２’に供給する（Ｓ４４）。
【０１０５】
表示装置１００’は、以上のステップＳ１〜ステップＳ１０の処理を実行することにより、電子取扱説明書の該当ページを表示部４０に表示する。
【０１０６】
以上、実施形態１に係る表示装置１００および実施形態２に係る表示装置１００’について説明した。
【０１０７】
（付記事項１）
上記各実施形態では、取説用テキストデータから、表示すべきページのテキストデータを抽出して表示用データを作成するものとしたが、本発明はこれに限定されない。
【０１０８】
例えば、表示装置１００（１００’）は、電子取扱説明書を表示する旨の指示をユーザから受け付けたタイミングで、取説用テキストデータを構成する全ページのテキストデータを表示用データに置き換えてもよい。この場合、表示装置１００（１００’）は、ユーザが電子取扱説明書のページをめくる操作を行う度に該当ページのテキストデータを表示用データに置き換える必要がなくなる。したがって、この場合、表示装置１００（１００’）は、ユーザに快適に電子取扱説明書のページをめくらせることができる。
【０１０９】
（付記事項２）
上記各実施形態では、取説用テキストデータ内には、ページを区切るデリミタが記述され、デリミタとデリミタとで区切られるページには表示文字列およびメタ文字列の両方が記述されるものとしたが、取説作成用テキストデータを以下のように構成してもよい。
【０１１０】
各実施形態の取説作成用テキストデータにさらにヘッダ部分を設け、ページ内にメタ文字列を記述する代わりにヘッダ部分に各メタ文字列をまとめて記述したものを取説作成用テキストデータとしてもよい。この場合、各メタ文字列には、そのメタ文字列が電子取扱説明書のどのページに関するメタ文字列かを示す情報（例えば電子取扱説明書のページ番号）を新たに含める必要がある。例えば、電子取扱説明書のページＡとページＢとページＣとで共通して使用される取説用画像を切り出すために参照されるメタ文字列には、当該文字列がページＡ、ＢおよびＣに関するメタ文字列であることを示す情報が含まれる。
【０１１１】
このように取説作成用テキストデータを構成した場合、表示装置１００（１００’）は、取扱説明書を表示する旨の指示をユーザから受け付けたタイミングで、ヘッダ部分に記載された全ページのメタ文字列を読み取ることになる。具体的には、表示装置１００（１００’）は、メタ文字列を読み取るたびに、そのメタ文字列内の上記情報を参照することで特定した取説作成用テキストデータの該当ページに、切り出した取説用画像を埋め込む。例えば、先に例示したメタ文字列を読み取った表示装置１００（１００’）は、上記情報を参照することで、取説作成用テキストデータのページＡ、ＢおよびＣに、切り出した取説用画像をまとめて埋め込む。
【０１１２】
したがって、このように取説作成用テキストデータを構成した場合、表示装置１００（１００’）は、電子取扱説明書の複数のページで共用される取説用画像を同じＵＩ画像から何度も抽出するという無駄なく、電子取扱説明書を作成できる。
【０１１３】
（付記事項３）
上記各実施形態では、本発明に係る表示制御装置を表示装置１００（１００’）として実現したが本発明はこれに限定されない。例えば、本発明に係る表示制御装置は、自装置の外部の表示装置に対する表示制御が可能であれば、表示部を備えていなくともよい。
【０１１４】
（付記事項４）
表示装置１００（１００’）は、機能が相異なるＵＩ画面毎に、デザイン（スキン、背景色等）が相異なる複数種類（Ｍ1種類）のＵＩ画面を作成可能に構成されてもよく、ＵＩ画面として使用するデザインの指定をユーザから受け付け可能に構成されてもよい。
【０１１５】
このように表示装置１００（１００’）が構成された場合、表示装置１００（１００’）は、デザイン毎に異なるＭ1種類の取説作成用テキストデータを備え、ユーザが指定したデザインに対応する取説作成用テキストデータからＵＩ画面特定用テーブルおよびエリア情報特定用テーブルを作成することになる。また、表示装置１００（１００’）は、ユーザが指定したデザインに対応する取説作成用テキストデータを参照して、ユーザが指定したデザインに対応するＵＩ画像から取説用画像を切り出すことになる。
【０１１６】
また、表示装置１００（１００’）は、機能が相異なるＵＩ画面毎に、複数種類（Ｍ2種類）の言語のＵＩ画面を作成可能に構成されてもよく、使用する言語の指定をユーザから受け付け可能に構成されてもよい。このように表示装置１００（１００’）が構成された場合、表示装置１００（１００’）は、言語毎に異なるＭ2種類の取説作成用テキストデータを備え、ユーザが指定した言語に対応する取説作成用テキストデータを参照して、ユーザが指定した言語に対応するＵＩ画像から取説用画像を切り出すことになる。
【０１１７】
（付記事項５）
各実施形態では、表示装置１００（１００’）は、電子取扱説明書を表示する旨の指示をユーザから受け付けたことをトリガとして、電子取扱説明書の作成を開始したが、本発明はこれに限定されない。電子取扱説明書の作成を開始するトリガとして任意のイベントを採用できる。
【０１１８】
例えば、表示装置１００（１００’）の起動が完了したというイベントをトリガとして、電子取扱説明書の作成を開始してもよいし、表示装置１００（１００’）のファームウェアがアップデートされたというイベントをトリガとして電子取扱説明書の作成を開始してもよい。あるいは、ＵＩ画面として使用するデザインの指定をユーザから受け付けたことをトリガとして、電子取扱説明書の作成を開始してもよい。
【０１１９】
（付記事項６）
各実施形態では、表示装置１００（１００’）は、取説作成用テキストデータから電子取扱説明書を作成するものとしたが、本発明はこれに限定されない。表示装置１００（１００’）は、取説作成用テキストデータ内の一部のｉｍｇ要素が取説用画像に置き換えられた取説作成用データ（文書データ）から、電子取扱説明書を作成してもよい。すなわち、ファームウェアのアップデート等によって更新される虞がないＵＩ画面に関しては、そのＵＩ画面に関する取説用画像は取説作成用データ内に予め埋め込まれていてもよい。
【０１２０】
（表示装置１００および表示装置１００’の利点）
以上の実施形態１および実施形態２に関する説明から明らかなように、表示装置１００（１００’）の記憶部１０（１０’）には、表示部４０に表示可能なＵＩ画面に関する説明文を含む取扱作成用テキストデータ（文書データ）が保持される。
【０１２１】
ＵＩ画像作成部２１（２１’）はＵＩ画面を表すＵＩ画像を作成する。
【０１２２】
また、ＵＩ画像作成部２１（２１’）が、電子取扱説明書に用いる取説用画像を作成する。具体的には、ＵＩ画像作成部２１（２１’）は、ＵＩ画面を表すＵＩ画像中から、ＵＩ画像内の矩形領域を占める画像を切り出す。そして、取扱説明書作成部３２（３２’）が、上記電子取扱説明書として上記文書データに含まれる上記説明文と上記取説用画像とを含む電子取扱説明書を作成する。
【０１２３】
さらに、画面表示制御部２０（２０’）は、取扱説明書作成部３２（３２’）が作成した電子取扱説明書を上記表示部に表示する。
【０１２４】
上記取扱作成用テキストデータには、上記矩形領域を特定するための領域特定用情報として、矩形領域の左上座標（Ｘ、Ｙ）、矩形領域の幅Ｗ、および矩形領域の高さＨの各値が含まれている。
【０１２５】
ＵＩ画像作成部２１（２１’）は、Ｘ、Ｙ、Ｗ、およびＨの各値に基づいてＵＩ画像中から取説用画像を作成する。
【０１２６】
上記の構成によれば、表示装置１００（１００’）は、電子取扱説明書の表示時に、ＵＩ画面に関する説明文とともにＵＩ画面中の特定部分を抜き出した取説用画像を表示することができる。
【０１２７】
また、表示装置１００（１００’）、自装置が現時点で表示可能なＵＩ画面を表すＵＩ画像から取説用画像を作成する。そのため、例えば表示装置１００（１００’）のファームウェアの更新等によりＵＩ画面に変更があった場合であっても、電子取扱説明書に含まれる取説用画像にはその変更が反映されることになる。
【０１２８】
したがって、本発明に係る表示制御装置は、自装置の電子取扱説明書を自装置の状態に合わせて従来よりも洗練された形で提示することができるという効果を奏する。
【０１２９】
（プログラム、記憶媒体）
表示装置１００、１００’の各ブロックは、集積回路（ＩＣチップ）上に形成された論理回路によってハードウェア的に実現してもよいし、ＣＰＵ（Central Processing Unit）を用いてソフトウェア的に実現してもよい。
【０１３０】
後者の場合、表示装置１００、１００’は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである表示装置１００、１００’の制御プログラムのプログラムコード（実行形式プログラム、中間コードプログラム、ソースプログラム）をコンピュータで読み取り可能に記録した記録媒体を、表示装置１００、１００’に供給し、そのコンピュータ（またはＣＰＵやＭＰＵ）が記録媒体に記録されているプログラムコードを読み出し実行することによっても、達成可能である。
【０１３１】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１３２】
また、上記プログラムコードは、通信ネットワークを介して表示装置１００、１００’に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１３３】
なお、ここで開示された実施の形態はすべての点で例示であって制限的なものではないと考えられるべきである。本発明の範囲は、上記した説明だけではなく、特許請求の範囲によって示され、特許請求の範囲と均等の意味および範囲内でのすべての変更が含まれることが意図される。
【産業上の利用可能性】
【０１３４】
本発明に係る表示制御装置は、コンシューマ向けＰＣやテレビジョン受像機等の家電製品に広く適用することができる。
【符号の説明】
【０１３５】
１００、１００’  表示装置（表示制御装置）
１０、１０’        記憶部
２０、２０’          画面表示制御部（表示制御手段）
２１、２１’          ＵＩ画像作成部（画像生成手段、抽出手段）
３０、３０’          取説作成制御部
３１、３１’          ＵＩ画像取得部
３１１、３１１’        切出領域指定部
３２、３２’          取扱説明書作成部（作成手段）
４０                表示部
【図１】
2013120455.tif 000003
【図２】
2013120455.tif 000004
【図３】
2013120455.tif 000005
【図４】
2013120455.tif 000006
【図５】
2013120455.tif 000007
【図６】
2013120455.tif 000008
【図７】
2013120455.tif 000009
【図８】
2013120455.tif 000010